(57)【要約】【課題】 軸方向内向きの力および軸方向外向きの力の両方に対して、スラスト軸受の機能を発揮することができ、しかも、内輪回転で使用した場合に、外輪に付着した泥水等の浸入を防止しかつ潤滑剤の流出も防止することができるプレス成形製の玉軸受を提供する。【解決手段】  内輪1は、外周に内輪軌道溝11aが形成された内輪円筒部11と内輪フランジ部12とを有している。外輪2は、内輪円筒部11と同心でかつ内周に外輪軌道溝13aが形成されるとともに左端部が内輪フランジ部12に右方から対向する外輪円筒部13と、外輪円筒部13の右端部から外径方向にのびる外輪フランジ部14と、外輪2に取り付けられて内輪1との密封部を形成するフランジ間シール6とを備えている。フランジ間シール6は、外輪円筒部13外径に嵌められた円筒部21と、円筒部21に設けられた複数のシールリップ22,23,24とからなる。【選択図】    図１
2005257016.tif 000002
【特許請求の範囲】
【請求項１】
外周に内輪軌道溝が形成された内輪円筒部および内輪円筒部の一端部から外径方向にのびる内輪フランジ部を有するプレス製内輪と、内輪円筒部と同心でかつ内周に外輪軌道溝が形成されるとともに一端部が内輪フランジ部に軸方向内方から対向する外輪円筒部および外輪円筒部の他端部から外径方向にのびる外輪フランジ部を有するプレス製外輪と、内輪円筒部と外輪円筒部との間に配置された複数の玉と、玉を保持する保持器と、外輪外径に取り付けられて内輪との密封部を形成するフランジ間シールとを備えており、フランジ間シールは、外輪外径に嵌められた円筒部と、円筒部に設けられた複数のシールリップとからなることを特徴とする玉軸受。
【請求項２】
内輪フランジ部は、内輪円筒部に連なる小径部と、小径部に短円筒部を介して連なる大径部とを有しており、シールリップが３つとされて、２つが小径部に、１つが大径部に対向させられている請求項１の玉軸受。
【請求項３】
複数のシールリップのうち、１つは、内輪フランジ部に対向し、１つは、内輪円筒部に対向させられている請求項１の玉軸受。
【請求項４】
内輪フランジ部に対向するシールリップと内輪円筒部に対向するシールリップとの間に、潤滑剤が封入されている請求項３の玉軸受。
【請求項５】
内輪フランジ部は、内輪円筒部に連なる小径部と、小径部に短円筒部を介して連なる大径部とを有しており、内輪フランジ部に対向するシールリップが２つとされて、１つが小径部に、１つが大径部にそれぞれ対向させられている請求項４の玉軸受。
【請求項６】
内輪フランジ部に対向する２つのシールリップの間にも潤滑剤が封入されている請求項５の玉軸受。
【発明の詳細な説明】
【技術分野】
【０００１】
この発明は、玉軸受に関し、特に、内輪および外輪がプレス成形により形成されている玉軸受に関する。
【背景技術】
【０００２】
プレス製の玉軸受としては、例えば、特許文献１に記載されているように、２つ１対のプレス製環状板からなるレースの間に複数の玉が配置された構成とされてスラスト玉軸受として使用されるものが知られている。
【０００３】
この玉軸受は、例えば、いずれか一方の環状板がケーシングに支持され、他方が回転体に一体化されることにより、回転体にかかる軸方向の力を受けるスラスト軸受とされる。この場合、軸方向内向きの力に対しては、スラスト軸受の機能を発揮することができるが、軸方向外向きの力に対しては、スラスト軸受の機能を発揮することができないため、軸方向外向きの力がかかる条件下での使用には問題があった。
【０００４】
そこで、本出願人は、特願２００３−３０２３４９において、外周に内輪軌道溝が形成された内輪円筒部および内輪円筒部の一端部から外径方向にのびる内輪フランジ部を有するプレス製内輪と、内輪円筒部と同心でかつ内周に外輪軌道溝が形成されるとともに一端部が内輪フランジ部に軸方向内方から対向する外輪円筒部および外輪円筒部の他端部から外径方向にのびる外輪フランジ部を有するプレス製外輪と、内輪円筒部と外輪円筒部との間に配置された複数の玉と、玉を保持する保持器とを備えており、軸方向内向きの力および軸方向外向きの力の両方に対して、スラスト軸受の機能を発揮することができる玉軸受を提案した。
【特許文献１】特開２００２−２２７８６１号公報
【発明の開示】
【発明が解決しようとする課題】
【０００５】
ところで、この種の玉軸受は、内輪回転でも外輪回転でも使用可能であるが、この玉軸受を内輪回転で使用する場合には、外輪に付着した泥水等の浸入を防止するとともに、軸受内の潤滑剤（グリース）が外部に流出して、潤滑不良が発生する可能性があることから、潤滑剤の流出を防止することが重要となってくる。
【０００６】
この発明の目的は、軸方向内向きの力および軸方向外向きの力の両方に対して、スラスト軸受の機能を発揮することができ、しかも、内輪回転で使用した場合に、外輪に付着した泥水等の浸入を防止しかつ潤滑剤の流出も防止することができるプレス成形製の玉軸受を提供することにある。
【課題を解決するための手段】
【０００７】
この発明による玉軸受は、外周に内輪軌道溝が形成された内輪円筒部および内輪円筒部の一端部から外径方向にのびる内輪フランジ部を有するプレス製内輪と、内輪円筒部と同心でかつ内周に外輪軌道溝が形成されるとともに一端部が内輪フランジ部に軸方向内方から対向する外輪円筒部および外輪円筒部の他端部から外径方向にのびる外輪フランジ部を有するプレス製外輪と、内輪円筒部と外輪円筒部との間に配置された複数の玉と、玉を保持する保持器と、外輪外径に取り付けられて内輪との密封部を形成するフランジ間シールとを備えており、フランジ間シールは、外輪外径に嵌められた円筒部と、円筒部に設けられた複数のシールリップとからなることを特徴とするものである。
【０００８】
フランジ間シールは、樹脂製とされることがあり、また、ゴム製とされることがある。各シールリップと内輪フランジ部との接触の程度は、高速回転での使用に適するように、すべてが軽接触とされるか、または、軽接触のものと非接触のものとが組み合わされる。軽接触または非接触の場合、外部から異物が侵入しやすくかつ内部の潤滑剤が流出しやすいことから、これらを防止することがより重要となる。フランジ間シールの円筒部の反シールリップ側端部は、外輪フランジ部に当接させられることが好ましい。
【０００９】
内輪フランジ部は、内輪円筒部に連なる小径部と、小径部に短円筒部を介して連なる大径部とを有しており、シールリップが３つとされて、２つが小径部に、１つが大径部に対向させられていることがある。
【００１０】
また、複数のシールリップのうち、１つは、内輪フランジ部に対向し、１つは、内輪円筒部に対向させられていることがある。この場合に、内輪フランジ部に対向するシールリップと内輪円筒部に対向するシールリップとの間に、潤滑剤が封入されていることが好ましい。さらにまた、内輪フランジ部は、内輪円筒部に連なる小径部と、小径部に短円筒部を介して連なる大径部とを有しており、内輪フランジ部に対向するシールリップが２つとされて、１つが小径部に、１つが大径部にそれぞれ対向させられていることがある。この場合に、内輪フランジ部に対向する２つのシールリップの間にも潤滑剤が封入されていることが好ましい。
【００１１】
上記の玉軸受において、フランジ間シールとは別に、内輪円筒部の他端部と外輪円筒部の他端部との間に設けられた円筒部間シールがさらに設けられていることが好ましい。円筒部間シールは、外輪円筒部内周に固定されてそのシールリップが内輪円筒部外周に対向させられる。
【発明の効果】
【００１２】
この発明の玉軸受によると、外周に軌道溝が形成された内輪円筒部および内輪円筒部の一端部から外径方向にのびる内輪フランジ部を有するプレス製内輪と、内輪円筒部と同心でかつ内周に軌道溝が形成されるとともに一端部が内輪フランジ部に対向する外輪円筒部および外輪円筒部の他端部から外径方向にのびる外輪フランジ部を有するプレス製外輪と、両輪円筒部間に配置された複数の玉とを備えているので、軸方向内向きの力および軸方向外向きの力の両方に対して、スラスト軸受の機能を発揮することができる。また、外輪外径に取り付けられて内輪との密封部を形成するフランジ間シールをさらに備えているとともに、フランジ間シールは、外輪外径に嵌められた円筒部と、円筒部に設けられた複数のシールリップとからなるので、内輪が回転輪とされた場合に、外輪に付着した水、泥水、ダスト等の侵入をより確実に防止することができるとともに、軸受内部の潤滑剤の流出も防止することができ、内輪回転で使用するのに極めて優れたものとなる。
【発明を実施するための最良の形態】
【００１３】
この発明の実施の形態を、以下図面を参照して説明する。
【００１４】
図１は、この発明の玉軸受の第１実施形態を示している。以下の説明において、左右とは、図の左右をいうものとする。
【００１５】
玉軸受は、内輪(1)、外輪(2)、両輪(1)(2)の中央部間に配置された複数の玉(3)、玉(3)を保持する保持器(4)、および両輪(1)(2)間に配置された２つの樹脂製シール(5)(6)を備えている。
【００１６】
内輪(1)は、例えば、軸方向の両方向に移動可能とされたギヤなどの回転体と一体化され、外輪(2)は、ケーシングなどに支持される。
【００１７】
内輪(1)および外輪(2)は、いずれもプレス成形により形成されている。
【００１８】
内輪(1)は、外周に内輪軌道溝(11a)が形成された内輪円筒部(11)と、内輪円筒部(11)の左端部から外径方向にのびる内輪フランジ部(12)とを有している。
【００１９】
外輪(2)は、内輪円筒部(11)と同心でかつ内周に外輪軌道溝(13a)が形成されるとともに左端部が内輪フランジ部(12)に右方（軸方向内方）から対向する外輪円筒部(13)と、外輪円筒部(13)の右端部から外径方向にのびる外輪フランジ部(14)とを有している。
【００２０】
玉(3)は、内輪円筒部(11)と外輪円筒部(13)とによって、深溝タイプの玉軸受と同様に支持されている。
【００２１】
２つのシール(5)(6)のうちの一方は、内輪円筒部(11)の右端部と外輪円筒部(13)の右端部との間に設けられた円筒部間シール(5)であり、他方は、外輪フランジ部(14)と内輪フランジ部(12)との間に設けられたフランジ間シール(6)である。
【００２２】
円筒部間シール(5)は、孔あきの円板部(15)と、孔あき円板部(15)の外周縁部から左方（軸方向内方）にのびる短円筒部(16)とからなる。短円筒部(16)の外径は、外輪円筒部(13)の内径よりも大きくされている。そして、外輪円筒部(13)の右端部に、シール嵌め合わせ溝(13b)が形成されており、このシール嵌め合わせ部(13b)の内周に、円筒部間シール(5)の短円筒部(16)の外周部に設けられた環状突起(16a)が嵌め入れられて接着されている。孔あきの円板部(15)の内周縁部は、内輪円筒部(11)の外周に若干の径方向間隙をおいて対向させられているシールリップとされており、これにより、内輪円筒部(11)の右端部と外輪円筒部(13)の右端部との間に、非接触シールとしての円筒部間シール(5)が形成されている。
【００２３】
フランジ間シール(6)は、内径が外輪円筒部(13)の外径にほぼ等しい円筒部(21)と、円筒部(21)に一体に設けられて内輪フランジ部(12)にそれぞれ対向させられている３つのシールリップ(22)(23)(24)とからなる。フランジ間シール(6)は、その円筒部(21)が外輪円筒部(13)の外径にきつく嵌め合わされるとともに、円筒部(21)の右端部が外輪フランジ部(14)の立上り基部に当接させられて接着されている。
【００２４】
内輪フランジ部(12)は、内輪円筒部(11)に連なる小径部(12a)と、小径部(12a)に短円筒部(12b)を介して連なる大径部(12c)とを有している。３つのシールリップ(22)(23)(24)は、その１つ（第１シールリップ(22)）が小径部(12a)の中間部分に、その１つ（第２シールリップ(23)）が小径部(12a)の短円筒部(12b)との境界部分に、その１つ（第３シールリップ(24)）が大径部(12c)の短円筒部(12b)との境界部分にそれぞれ摺接させられている。
【００２５】
第１から第３までの各シールリップ(22)(23)(24)は、内輪回転でかつ高速回転での使用に適するように、内輪フランジ部(12)の対応する部分(12a)(12c)に軸方向から軽接触させられている。したがって、これらのシールリップ(22)(23)(24)によって、シール性が確保されて、グリースの流出が防止され、しかも、外部からの異物の侵入も防止される。こうして、グリース流出による潤滑不良が防止されるとともに、異物侵入による損傷も防止される。なお、すべてのシールリップ(22)(23)(24)が接触させられる必要はなく、１つまたは２つのシールリップを非接触とし、ラビリンス効果によってシール性を確保するようにしてもよい。
【００２６】
図２は、この発明による玉軸受の第２実施形態を示している。この第２実施形態のものは、第１実施形態のものとフランジ間シール(6)のシールリップの形状が異なっている。以下の説明において、第１実施形態と同じ構成には同じ符号を付してその説明を省略する。
【００２７】
この実施形態のフランジ間シール(6)は、内径が外輪円筒部(13)の外径にほぼ等しい円筒部(25)と、円筒部(25)の左端部に設けられて内輪フランジ部(12)の小径部(12a)の中間部分右面に摺接している第１シールリップ(26)と、円筒部(25)の左端部に設けられて内輪円筒部(11)に所定の間隙をおいて径方向外方から対向させられている第２シールリップ(27)とからなる。フランジ間シール(6)は、その円筒部(25)が外輪円筒部(13)の外径にきつく嵌め合わされるとともに、円筒部(25)の右端部が外輪フランジ部(14)の立上り基部に当接させられて接着されている。
【００２８】
第１シールリップ(26)は、内輪回転でかつ高速回転での使用に適するように、内輪フランジ部(12)の小径部(12a)に軸方向から軽接触させられている。第２シールリップ(27)は、その軸方向の幅が外輪円筒部(13)と内輪フランジ部(12)との間隙よりも小さくされるとともに、外輪円筒部(13)の左面に沿って径方向内方にのばされている。グリースは、第２シールリップ(27)よりも軸方向内側の空間(S1)に封入されるとともに、第１シールリップ(26)と第２シールリップ(27)とによって仕切られた空間(S2)にも封入されている。これにより、第２シールリップ(27)よりも内側の空間(S1)がグリース溜まり部となって、高速回転下での遠心力によるグリース流出が防止されるとともに、第１シールリップ(26)と第２シールリップ(27)とによって仕切られた空間(S2)に封入されているグリースによって、グリース流出がより一層防止され、しかも、外部からの異物の侵入も防止される。こうして、グリース流出による潤滑不良が防止されるとともに、異物侵入による損傷も防止される。
【００２９】
図３は、この発明による玉軸受の第３実施形態を示している。この第３実施形態のものは、第２実施形態のものとフランジ間シール(6)のシールリップの形状が異なっている。以下の説明において、第２実施形態と同じ構成には同じ符号を付してその説明を省略する。
【００３０】
この実施形態のフランジ間シール(6)は、内径が外輪円筒部(13)の外径にほぼ等しい円筒部(25)と、円筒部(25)の左端部に設けられて内輪フランジ部(12)の小径部(12a)の中間部分右面に摺接している第１シールリップ(26)と、円筒部(25)の左端部に設けられて内輪円筒部(11)に所定の間隙をおいて径方向外方から対向させられている第２シールリップ(27)と、内輪フランジ部(12)の大径部(12c)の短円筒部(12b)との境界部分に摺接させられている第３シールリップ(28)とからなる。すなわち、第２実施形態のものに第３シールリップ(28)が付加された構成とされている。
【００３１】
第３シールリップ(28)は、内輪回転でかつ高速回転での使用に適するように、内輪フランジ部(12)の大径部(12c)に軸方向から軽接触させられている。この第３シールリップ(28)は、非接触とされてもよい。
【００３２】
第１シールリップ(26)と第３シールリップ(28)とによって仕切られた空間(S3)には、グリースが封入されてもよく、また、封入されなくてもよい。
【００３３】
この第３実施形態のものによると、第２実施形態のものに比べて、第３シールリップ(28)によるシール効果が付加されて、より一層グリースの流出および外部からの異物の侵入が防止される。そして、第１シールリップ(26)と第３シールリップ(28)とによって仕切られた空間(S3)にもグリースが封入された場合には、これらの防止効果がさらに高められる。こうして、グリース流出による潤滑不良がより確実に防止されるとともに、異物侵入による損傷もより確実に防止される。
【００３４】
なお、上記の各実施形態の軸受において、内輪フランジ部(12)および外輪フランジ部(14)は、これらが取り付けられる部材に応じて、形状が変更されてもよい。
【図面の簡単な説明】
【００３５】
【図１】図１は、この発明による玉軸受の第１実施形態を示す縦断面図である。
【図２】図２は、この発明による玉軸受の第２実施形態を示す縦断面図である。
【図３】図３は、この発明による玉軸受の第３実施形態を示す縦断面図である。
【符号の説明】
【００３６】
(1)         内輪
(2)         外輪
(3)         玉（転動体）
(4)         保持器
(6)         フランジ間シール
(11)        内輪円筒部
(11a)       内輪軌道溝
(12)        内輪フランジ部
(12a)       小径部
(12b)       短円筒部
(12c)       大径部
(13)        外輪円筒部
(13a)       外輪軌道溝
(14)        外輪フランジ部
(21)        シール円筒部
(22)(23)(24)シールリップ
(25)        シール円筒部
(26)(27)(28)シールリップ
(S1)(S2)(S3)グリース封入空間
【図１】
2005257016.tif 000003
【図２】
2005257016.tif 000004
【図３】
2005257016.tif 000005